(57)【要約】【課題】レンズ鏡胴に設置される駆動ユニットの開口部を有する筐体枠の周壁にアイリスモード切替スイッチ等の操作部の回路基板をネジ止めする場合に、ネジ穴を開口部の方向に形成し、且つ、ネジの頭部と回路基板との間にカラーを挟み込むことによって、回路基板の設置位置と対向する位置の周壁によってドライバの挿入が阻害されることなく容易かつ迅速にネジ止め作業を行うことができるようにしたレンズ装置を提供する。【解決手段】レンズ鏡胴の側部に設置される駆動ユニットの筐体４４の上壁７２にアイリスモード切替スイッチ６０が設けられ、その回路基板１０６は、回路基板１０６に対して斜めに突設されたボス１１０のネジ穴にカラー１２０を挟み込んでネジ１３０によりネジ止めされる。【選択図】図２
2011107394.tif 000002
【特許請求の範囲】
【請求項１】
被写体像を結像する光学系の構成部材を有するレンズ鏡胴と、前記光学系を電動で駆動制御する制御系の構成部材を有する駆動ユニットとを備え、
前記駆動ユニットは、前記レンズ鏡胴に設置される筐体を有し、該筐体は、開口部を有する凹形状の筐体枠をその一部として備え、
前記筐体枠の開口部の周縁に沿った周壁の所定位置に、操作者により操作される可動の被操作部材を備えた操作部が設けられ、該操作部から前記筐体枠内部に向けて先端にネジ穴を有する固定部が突設されると共に、前記被操作部材の設定状態を検出する回路を実装した回路基板が、該回路基板に形成されたネジ挿通孔を挿通して前記固定部のネジ穴に締め込まれたネジによって前記固定部に固定され、
前記回路基板の前記操作部と反対側の板面が、前記筐体枠の周壁が存在する向きに固定されるレンズ装置において、
前記固定部の先端が前記操作部の可動面と平行な面で形成されると共に、前記固定部のネジ穴が前記筐体枠の開口部を通過する方向を軸として形成され、
前記回路基板のネジ挿通孔には、カラー部材が取り付けられ、該カラー部材は、前記固定部のネジ穴の軸に沿った方向に前記ネジを挿通するネジ挿通孔を有すると共に、前記回路基板のネジ挿通孔に嵌合される嵌合部と、前記ネジの頭部と前記回路基板の板面との間に挟み込まれるフランジ部を有し、該フランジ部の前記回路基板の板面に当接する面が該板面に平行な方向に形成され、該フランジ部の前記ネジの頭部に当接する面が前記軸に直交する方向に形成されたこと、
を特徴とするレンズ装置。
【請求項２】
前記カラー部材のフランジ部の前記ネジの頭部に当接する面が前記軸に直交する方向となるように前記固定部に対して前記カラー部材を位置決めするために係合する凸部と凹部のうち、いずれか一方が前記固定部の先端に形成され、他方が前記カラー部材の嵌合部の先端に形成されたことを特徴とする請求項１のレンズ装置。
【発明の詳細な説明】
【技術分野】
【０００１】
本発明はレンズ装置に係り、特にレンズ鏡胴の側部に駆動ユニットが設置されるレンズ装置に関する。
【背景技術】
【０００２】
放送用又は業務用等のテレビカメラは、撮像素子や映像処理回路等を搭載したカメラ本体と、撮像素子の撮像面に被写体像を結像する光学系を備えたレンズ装置とを備えている。取材等で使用される携帯用のテレビカメラのレンズ装置は、一般に、レンズ鏡胴と、レンズ鏡胴の側部に設置される駆動ユニット（ドライブユニット）とを有している。
【０００３】
レンズ鏡胴は、光学系を構成する各種レンズ等を内部に保持しており、その後端部には、カメラ本体に対して例えばバヨネット方式により着脱可能に装着されるマウントが設けられ、レンズ鏡胴の外周部（レンズ鏡胴の各種構成部材を支持する鏡胴本体の外周部）には、内部に保持したフォーカス用のレンズ（フォーカスレンズ群）、ズーム用のレンズ（変倍レンズ群）、絞り等にメカ的に連結されてそれらを駆動するための操作リングが回動可能に設けられている。尚、本明細書では、フォーカスレンズ群、変倍レンズ群、絞りの各々を駆動するための操作リングをフォーカスリング、ズームリング、アイリスリングというものとする。
【０００４】
レンズ鏡胴の側部に設置される駆動ユニットは、レンズ鏡胴の光学系を電気的に駆動する制御部材、即ち、操作リングを電動で回動させるためのモータや操作リングの位置を検出するポテンショメータ等を筐体内部に備え、モータとポテンショメータを操作リングに連結するギアや、モータ制御等を行う回路部品を備えている。また、筐体外面に、撮影者がテレビカメラを保持する際に手で把持するグリップ部や、各種操作部材を備えている。駆動ユニットのモータは、筐体外面に設けられた操作部材の操作や、外部から入力される信号に従って駆動制御され、モータの駆動と共にそのモータに連結された操作リングが回動するようになっている（例えば、特許文献１、２参照）。
【０００５】
ところで、従来、駆動ユニットは、２つの筐体枠を装着することにより外周全体を覆う筐体が構成されており、一方の構成部（第１筐体枠）は、レンズ鏡胴の側部にネジ等で設置され、主にモータやポテンショメータが設置される。他方の構成部（第２筐体枠）は、主に筐体内部の空間を形成するために凹形状に形成され、第１筐体枠が装着される周縁によって囲まれた開口部を有している。その第２筐体枠には、カメラマンがカメラを支持する際に手で把持するグリップ部や、各種操作部が設けられている。
【０００６】
そして、例えば、第２筐体枠の上壁部には、絞り制御をオートアイリスモードとマニュアルアイリスモードとで切り替えるアイリスモード切替スイッチが設けられている。オートアイリスモードは、カメラ本体やコントロールユニット等の外部機器から信号に従ってレンズ鏡胴のアイリスリングをモータで駆動して絞りを制御するモードであり、マニュアルアイリスモードは、カメラマンがレンズ鏡胴のアイリスリングを手動で回動操作して絞りを制御するモードである。
【０００７】
図５に示すように、このアイリスモード切替スイッチ６０は、筐体枠４４（第２筐体枠４４）の開口部４４Ａの周縁に沿った周壁の上壁部７２に露出して配置されてモード切替えの際にカメラマンの指によって直接操作されるスライド可能（紙面に垂直な方向にスライド可能）な被操作部材１００と、被操作部材１００をスライド可能に支持すると共に筐体枠４４の上壁部７２にネジ等で固定される支持部材１０２とを有するスイッチ操作部１０４と、このスイッチ操作部１０４の被操作部材１００の設定状態（設定位置の状態）を電気信号として検出する回路が実装される平板状の回路基板１０６とから構成されている。
【０００８】
回路基板１０６には、電気回路部品としてのスイッチ回路部品（例えばスライドスイッチ）が実装されており、回路基板１０６がスイッチ操作部１０４の支持部材１０２に突設されたボス（固定部）１１０′の先端部（先端面）にネジ１３０により固定されることによって、回路基板１０６のスイッチ回路部品の接点接続状態を切り替える可動部がスイッチ操作部１０４の被操作部材１００に連結されて、スイッチ操作部１０４の被操作部材１００の設定位置の状態に応じてスイッチ回路部品の接点接続状態が切り替えられるようになっている。
【先行技術文献】
【特許文献】
【０００９】
【特許文献１】特開平１１−１０１９３２号公報
【特許文献２】特開２００７−２９８６７２号公報
【発明の概要】
【発明が解決しようとする課題】
【００１０】
上記のような従来のレンズ装置の駆動ユニットにおいて、上記アイリスモード切替スイッチ６０のように第２筐体枠４４の周壁に設けられている操作部の筐体枠内部側に回路基板をネジにより固定する構造は、組み付ける際の作業に手間を要するという問題があった。例えば、図５のようにアイリスモード切替スイッチ６０の回路基板１０６を第２筐体枠４４の内部に固定する従来の構造では、第２筐体枠４４の上壁部７２の内側壁面７２Ａに対して垂直方向にボス１１０′が突設され、そのボス１１０′の先端部にその方向を軸（軸Ｘ′）とするネジ穴が形成される。そして、回路基板１０６は、回路基板１０６のネジ挿通孔を挿通してボス１１０′のネジ穴に締め込まれたネジ１３０の頭部とボス１１０′とに挟まれることによって板面が上壁部７２の内側壁面７２Ａと略平行となる状態（ボス１１０′の先端面に当接した状態）で固定されるようになっている。
【００１１】
一方、ボス１１０′のネジ穴の軸Ｘ′の方向、即ち、回路基板１０６の板面の方向には、第２筐体枠４４の周壁が存在しており、ネジ１３０を締め込む際（又はネジ１３０を弛める際）に、ネジ１３０の頭部の溝にドライバの先端を軸Ｘ′の方向から真っ直ぐに差し込むことができない。そのため、ボス１１０′のネジ穴の軸Ｘ′に対してドライバの軸を斜めにしてネジ１３０の頭部の溝にドライバの先端を差し込み、その状態でネジ１３０を回さなければならず、その作業に手間を要していた。また、ネジ１３０の頭部の溝が破損してしまう恐れもあった。
【００１２】
本発明はこのような事情に鑑みてなされたもので、レンズ鏡胴に設置される駆動ユニットの開口部を有する筐体枠の周壁にアイリスモード切替スイッチ等の操作部の回路基板をネジ止めする際に、その回路基板の設置位置と対向する位置の周壁によってドライバの挿入を阻害されることなく容易かつ迅速にネジ止め作業を行えるようにしたレンズ装置を提供することを目的とする。
【課題を解決するための手段】
【００１３】
前記目的を達成するために、請求項１に係るレンズ装置は、被写体像を結像する光学系の構成部材を有するレンズ鏡胴と、前記光学系を電動で駆動制御する制御系の構成部材を有する駆動ユニットとを備え、前記駆動ユニットは、前記レンズ鏡胴に設置される筐体を有し、該筐体は、開口部を有する凹形状の筐体枠をその一部として備え、前記筐体枠の開口部の周縁に沿った周壁の所定位置に、操作者により操作される可動の被操作部材を備えた操作部が設けられ、該操作部から前記筐体枠内部に向けて先端にネジ穴を有する固定部が突設されると共に、前記被操作部材の設定状態を検出する回路を実装した回路基板が、該回路基板に形成されたネジ挿通孔を挿通して前記固定部のネジ穴に締め込まれたネジによって前記固定部に固定され、前記回路基板の前記操作部と反対側の板面が、前記筐体枠の周壁が存在する向きに固定されるレンズ装置において、前記固定部の先端が前記操作部の可動面と平行な面で形成されると共に、前記固定部のネジ穴が前記筐体枠の開口部を通過する方向を軸として形成され、前記回路基板のネジ挿通孔には、カラー部材が取り付けられ、該カラー部材は、前記固定部のネジ穴の軸に沿った方向に前記ネジを挿通するネジ挿通孔を有すると共に、前記回路基板のネジ挿通孔に嵌合される嵌合部と、前記ネジの頭部と前記回路基板の板面との間に挟み込まれるフランジ部を有し、該フランジ部の前記回路基板の板面に当接する面が該板面に平行な方向に形成され、該フランジ部の前記ネジの頭部に当接する面が前記軸に直交する方向に形成された、ことを特徴としている。
【００１４】
請求項２に係るレンズ装置は、請求項１に記載の発明において、前記カラー部材のフランジ部の前記ネジの頭部に当接する面が前記軸に直交する方向となるように前記固定部に対して前記カラー部材を位置決めするために係合する凸部と凹部のうち、いずれか一方が前記固定部の先端に形成され、他方が前記カラー部材の嵌合部の先端に形成されたことを特徴としている。
【００１５】
本発明によれば、駆動ユニットの筐体枠の周壁が存在する方向に操作部の回路基板の板面を向けてネジ止めする場合であっても、ネジを締め込むネジ穴の軸が開口部の方向に向いているため、筐体枠の周壁によってドライバの挿入を阻害されることなくネジ穴の軸に対してドライバの先端をネジの頭部の溝に真っ直ぐに差し込んでネジを回すことができる。また、このとき、回路基板の板面とネジの頭部との間に角度差による隙間が生じるが、カラー部材によってその隙間が埋められ、回路基板にネジの頭部の一部のみが圧接されることによる回路基板の損傷も防止される。
【発明の効果】
【００１６】
本発明によれば、レンズ鏡胴に設置される駆動ユニットの開口部を有する筐体枠の周壁にアイリスモード切替スイッチ等の操作部の回路基板をネジ止めする際に、その回路基板の設置位置と対向する位置の周壁によってドライバの挿入が阻害されることなく容易かつ迅速にネジ止め作業を行うことができる。
【図面の簡単な説明】
【００１７】
【図１】本発明が適用されたレンズ装置の全体を示した斜視図。
【図２】図１のレンズ装置において、レンズ鏡胴の光学系の光軸に直交し、且つ、駆動ユニットの筐体のアイリスモード切替スイッチの近傍位置を通る面で切断したときの前側から見た断面をレンズ鏡胴及び第１筐体枠等を省略して示した断面図。
【図３】アイリスモード切替スイッチを構成するスイッチ操作部の支持部材、回路基板、ネジ、及び、カラーを分解して示した平面図。
【図４】アイリスモード切替スイッチを構成するスイッチ操作部の支持部材、回路基板、ネジ、及び、カラーを分解して示した斜視図。
【図５】従来におけるレンズ装置の図２と同じ位置の断面をレンズ鏡胴及び第１筐体枠等を省略して示した断面図。
【発明を実施するための形態】
【００１８】
以下、添付図面を参照して、本発明に係るレンズ装置を実施するための形態について詳細に説明する。
【００１９】
図１は、本発明が適用されたレンズ装置の全体を示した斜視図である。同図のレンズ装置１０は、主に取材などで携帯される放送用又は業務用のテレビカメラ（ビデオカメラ）のレンズ装置であり、レンズ鏡胴１２と、レンズ鏡胴１２の側部に設置された駆動ユニット１４を備えている。
【００２０】
レンズ鏡胴１２は、後端部にバヨネット方式のマウント部２０を有しており、このマウント部２０を撮像素子等を備えたカメラ本体（図示せず）のマウント部に係合させることにより、レンズ鏡胴１２がカメラ本体に装着されてテレビカメラが構成されるようになっている。
【００２１】
レンズ鏡胴１２の内部には、周知のように被写体像を結像するための光学系を構成するレンズや絞りが収容されており、レンズとして、レンズ鏡胴１２の各種構成部材を支持する鏡胴本体に対して固定されたレンズの他に、光軸方向に移動可能に支持されたフォーカスレンズ群や変倍レンズ群が配置されている。
【００２２】
レンズ鏡胴１２の外周部には、鏡胴本体（固定鏡胴）に対して回動可能な複数の操作リングが設けられており、その操作リングとして前方側（対物側）からフォーカスレンズ群に連結されたフォーカスリング２２、変倍レンズ群に連結されたズームリング２４、絞りに連結されたアイリスリング２６が配置されている。フォーカスリング２２が回動すると、これと連動してフォーカスレンズ群が光軸方向に移動して光学系全体としての焦点位置（ピントが合う被写体距離）が変化し、ズームリング２４が回動すると、これと連動してズームレンズ群が光軸方向に移動して光学系全体としての焦点距離が変化し、アイリスリングが回動すると、これと連動して絞りが開閉動作して光学系全体としての絞り値が変化するようになっている。フォーカスリング２２、ズームリング２４、アイリスリング２６の各々の外周面には、駆動ユニット１４のギアと噛合するギア歯２２Ａ、２４Ａ、２６Ａが形成されている。
【００２３】
また、レンズ鏡胴１２の外周部には、鏡胴本体に対して固定された第１固定環２８及び第２固定環３０が設けられている。第１固定環２８は、フォーカスリング２２とズームリング２４との間に配置され、第２固定環３０は、ズームリング２４とアイリスリング２６との間に配置されている。これらの固定環２８、３０には、駆動ユニット１４の筐体４０がネジ５４、５４により固定される。
【００２４】
駆動ユニット１４は、レンズ鏡胴１２の各操作リングを電動で駆動するためのモータ等を搭載し、レンズ鏡胴１２の光学系を電気的に制御するもので、レンズ鏡胴１２の側部に設置される金属の筐体４０によって外周全体が覆われ、内部に各種部品を配置する空間が形成されている。筐体４０は、第１筐体枠４２と第２筐体枠４４の２つの構成部で構成されており、第１筐体枠４２の周縁部と第２筐体枠の周縁部が当接した状態で第１筐体枠４２と第２筐体枠４４とがネジ５５、５５等で固定されることによって筐体４０が構成されている。レンズ鏡胴１２には第１筐体枠４２がネジ５４、５４等により直接固定される。
【００２５】
筐体４０の内部には、モータ、ポテンショメータ、ギアなどの動力の伝達に関連する機構部材が収容されており、それらは主として第１筐体枠４２に設置されている。
【００２６】
また、第１筐体枠４２には、レンズ鏡胴１２のフォーカスリング２２、ズームリング２４、アイリスリング２６の各々のギア歯２２Ａ、２４Ａ、２６Ａに対向する位置に開口が設けられ、その開口から、それらのギア歯２２Ａ、２４Ａ、２６Ａに噛合するギアが設けられている。そして、それらのギアを介して筐体４０内部のモータ又はポテンショメータと、筐体４０外部のフォーカスリング２２、ズームリング２４、アイリスリング２６が動力伝達可能に連結されている。これにより、フォーカスリング２２、ズームリング２４、アイリスリング２６が駆動ユニット１４のモータによって電動で回転駆動され、また、フォーカスリング２２、ズームリング２４、アイリスリング２６の回転位置に応じたフォーカスレンズ群、ズームレンズ群、絞りの設定位置が駆動ユニット１４のポテンショメータによって検出されるようになっている。尚、駆動ユニット１４のモータは、筐体４０に設けられた操作部の操作や、外部から与えられる指示信号にしたがって駆動制御される。
【００２７】
第２筐体枠４４は、凹形状に形成され、その凹形状の底部を形成する側壁７０（筐体４０においてレンズ鏡胴１２に設置される第１筐体枠４２の壁部と対向する壁部であり、図１において死角となっている部分）と、凹形状の側部を形成すると共に、第１筐体枠４２が装着される開口部４４Ａの周縁に沿った環状の周壁８０とから形成されている。
【００２８】
第２筐体枠４４の側壁７０の外側には、撮影者が駆動ユニット１４を把持するグリップ部５６が形成されると共に、周壁８０には、各種操作部が設けられている。例えば、周壁８０の一部である上壁部７２にはズーム操作を行うためのズームシーソースイッチ５８や、絞り制御をオートアイリスモードとマニュアルアイリスモードとで切り替えるためのアイリスモード切替スイッチ６０が設けられている。
【００２９】
図２は、図１のレンズ装置１０において、レンズ鏡胴１２の光学系の光軸に直交し、且つ、駆動ユニット１４の筐体４０（第２筐体枠４４）のアイリスモード切替スイッチ６０の近傍位置を通る面で切断したときの前側から見た断面をレンズ鏡胴１２及び第１筐体枠４２等を省略して示した断面図である。尚、図５の従来のレンズ装置と同一の構成要素には図５と同一符号を付している。
【００３０】
図２には、駆動ユニット１４の筐体４０の周壁８０の上壁部７２に設置されたアイリスモード切替スイッチ６０が示されており、図１及び図２に示すようにアイリスモード切替スイッチ６０は、第２筐体枠４４の上壁部７２において一部が筐体４０の外部に露出した状態で配置されている。
【００３１】
アイリスモード切替スイッチ６０は、被操作部材１００と支持部材１０２とからなるスイッチ操作部１０４と、回路基板１０６とから構成されている。
【００３２】
スイッチ操作部１０４の支持部材１０２は、被操作部材１００をスライド可能に支持すると共に回路基板１０６をボス１１０を介して支持する部材であり、第２筐体枠４４の上壁部７２にネジ等で固定されている。
【００３３】
スイッチ操作部１０４の被操作部材１００は、アイリスモードの切替えの際にカメラマンの指によって直接操作される部材であり、前後方向（レンズ鏡胴１２の軸に略沿った方向）にスライド可能に支持部材１０２に支持されると共に、オートアイリスモードとマニュアルアイリスモードの２種類のモードを選択する２つの位置の間をスライド可能に支持されている。被操作部材１００がオートアイリスモードを選択する位置に設定された場合には、カメラ本体やコントロールユニット等の外部機器から信号に従ってレンズ鏡胴１２のアイリスリング２６がモータで駆動されて絞りが制御され、被操作部材１００がマニュアルアイリスモードを選択する位置に設定された場合には、カメラマンがレンズ鏡胴１２のアイリスリング２６を手動で回動操作して絞りを制御するようになっている。
【００３４】
回路基板１０６は、スイッチ操作部１０４の被操作部材１００の設定位置の状態を電気信号として検出し、図示しない制御回路にその信号を出力する回路が実装されている。図２に示すように回路基板１０６は、スイッチ操作部１０４の支持部材１０２に突設されたボス１１０にネジ１３０により固定されている。その回路基板１０６には、電気回路部品としてのスライドスイッチが実装され、そのスライドスイッチの接点接続状態を切り替える可動部がスイッチ操作部１０４の被操作部材１００に連結されている。これによって、スイッチ操作部１０４の被操作部材１００の設定位置によって回路基板１０６のスライドスイッチの接点接続状態が変化し、それに基づく電気信号の変化（回路状態の変化）によって被操作部材１００によって選択されたアイリスモードが電気的に検出されるようになっている。尚、支持部材１０２にはボス１１０が２カ所に設けられており、回路基板１０６は、２カ所においてネジ止めされるが、その構造は同一であるため、以下において１カ所のネジ止め構造についてのみ説明する。また、回路基板１０６をネジ止めする位置は１カ所であってもよいし、３カ所以上であってもよい。
【００３５】
図３、及び、図４は、アイリスモード切替スイッチ６０を構成するスイッチ操作部１０４の支持部材１０２、回路基板１０６、ネジ１３０、及び、カラー１２０を分解して示した平面図及び斜視図である。これらの図を用いてスイッチ操作部１０４の支持部材１０２に回路基板１０６をネジ止めするための構造について説明すると、スイッチ操作部１０４の支持部材１０２には、筐体４０（第２筐体枠４４）の内側に向けて円柱状のボス（固定部）１１０が突設され、その先端部１１２にはネジ穴１１２Ａが形成されている。
【００３６】
一方、回路基板１０６には、ネジ１３０を挿通すると共にカラー１２０を嵌合するネジ挿通孔１０６Ａが形成されており、そのネジ挿通孔１０６Ａに例えばプラスチックで成形されたカラー１２０の嵌合部１２０Ａが嵌め込まれ、カラー１２０の嵌合部１２０Ａよりも拡径されたフランジ部１２０Ｂが、回路基板１０６に当接した位置で固持される。カラー１２０にはネジ挿通孔１２０Ｃが形成されており、そのネジ挿通孔１２０Ｃにネジ１３０が挿通されることによって、回路基板１０６のネジ挿通孔１０６Ａにネジ１３０が挿通され、ボス１１０のネジ穴１１２Ａにそのネジ１３０が締め込まれる。これによって、回路基板１０６が、支持部材１０２のボス１１０にネジ止めされて回路基板１０６が支持部材１０２に固定されるようになっている。
【００３７】
ところで、回路基板１０６は、図２に示すようにスイッチ操作部１０４の支持部材が固定される第２筐体枠４４の上壁部７２の内側壁面７２Ａ（以下、設置面７２Ａという）に対して略平行に配置されるが、その設置面７２Ａに対向する位置（回路基板１０６の設置面７２Ａと反対側の板面に対向する（直交方向の）位置）には、第２筐体枠４４の下側の周壁８０が存在しており、ボス１１０は、その軸Ｘの方向が周壁８０の存在する方向を避けた開口部４４Ａを通過する方向となるように、設置面７２Ａに対して直交する方向ではなく、斜めの方向に突設形成されている。
【００３８】
そして、図２乃至図４に示すように、ボス１１０の先端部１１２は、軸Ｘに対して直交する面ではなく、設置面７２Ａと平行な面（スイッチ操作部１０４の被操作部１００がスライドする可動面と平行な面）で形成され、先端部１１２に面に回路基板１０６が当接した状態で固定されることによって回路基板１０６が設置面７２Ａ（スイッチ操作部１０４の可動面）に対して平行に固定されるようになっている
また、ボス１１０のネジ穴１１２Ａも軸Ｘの方向に形成されており、ネジ穴１１２Ａにネジ１３０を締め込むと、ネジ１３０は、設置面７２Ａに対して斜めとなり、カラー１２０を使用しない場合、ネジ１３０の頭部１３０Ａの当接面１３０Ｂを回路基板１０６に面で当接させて押さえることができない。そこで、上記のようにカラー１２０が用いられている。
【００３９】
カラー１２０のネジ挿通孔１２０Ｃは、回路基板１０６のネジ挿通孔１０６Ａに嵌合させた状態のときに軸Ｘの方向にネジ１３０を挿通させるように斜めに形成されており、カラー１２０のネジ挿通孔１２０Ｃを挿通したネジ１３０を、ボス１１０のネジ穴１１２Ａの軸Ｘの方向に一致させることができるようになっている。
【００４０】
また、図３において、カラー１２０の嵌合部１２０Ａは、回路基板１０６のネジ挿通孔１０６Ａに嵌合する円柱面状の周面と、ボス１１０の先端部１１２に面で当接する設置面に平行な端面１２０Ｅとを有し、フランジ部１２０Ｂは、円柱面状の周面と、回路基板１０６に面で当接する設置面７２Ａに平行な繋ぎ面１２０Ｆと、設置面７２Ａと平行ではなく軸Ｘに対して直交する方向の端面１２０Ｇとを有している。フランジ部１２０Ｂの端面１２０Ｆが軸Ｘに対して直交する方向に形成されていることによって、ネジ挿通孔１２０Ｃに挿通させたネジ１３０の頭部１３０Ａの当接面１３０Ｂがカラー１２０の端面１２０Ｆに面で当接し、その状態でカラー１２０を介して回路基板１０６が押さえられるようになっている。
【００４１】
更に、カラー１２０の嵌合部１２０Ａには、切欠部（凹部）１２０Ｄが形成され、ボス１１０の先端部１１２にはその切欠部１２０Ｄの形状に合致する係合突起（凸部）１１２Ｂが形成されている。ボス１１０の係合突起１１２Ｂの位置にカラー１２０の切欠部１２０Ｄの位置を一致させて係合させることによって、カラー１２０のネジ挿通孔１２０Ｃが軸Ｘの方向に一致し、且つ、カラー１２０のフランジ部１２０Ｂの端面１２０Ｆが軸Ｘに対して直交する方向となるように位置決めされるようになっている。また、ボス１１０の係合突起１１２Ｂの位置にカラー１２０の切欠部１２０Ｄの位置が一致した場合にのみ、図１のように回路基板１０６の上面をボス１１０の先端部１１２に当接させた状態で、且つ、カラー１２０の繋ぎ面１２０Ｆを回路基板１０６の下面に当接させた状態となるように、回路基板１０６のネジ挿通孔１０６Ａにカラー１２０の嵌合部１２０Ａとボス１１０の係合突起１１２Ｂを嵌め込むことができるようになっており、その状態となるように回路基板１０６のネジ挿通孔１０６Ａに嵌合させたカラー１２０を回転調整することによって、カラー１２０が軸Ｘに対して適切な回転位置に位置決めされるようになっている。
【００４２】
以上のように支持部材１０２に回路基板１０６をネジ止めするための上記構成によれば、ネジ１３０を挿通させる回路基板１０６のネジ挿通孔１０６Ａの方向、及び、ネジ１３０を締め込むネジ穴１１２Ａの軸の方向が、第２筐体枠４４の開口部４４Ａの方向（軸Ｘ方向）となるため、第２筐体枠４４の周壁８０によって阻害されることなく、ドライバを第２筐体枠４４の開口部４４Ａから内部に挿入してドライバの先端部をネジ１３０の頭部１３０Ａの溝に真っ直ぐに差し込んでネジ１３０を回すことができる。従って、支持部材１０２に回路基板１０６をネジ止めする作業又は取り外す作業を容易かつ迅速に行うことができ、また、ネジ１３０の破損も防止される。また、回路基板１０６の板面に垂直な方向に対してネジ１３０の軸が斜めに傾斜するため、単にボス１１０の先端部１１２の面と、ネジ１３０の頭部１３０Ａとで挟み込んで回路基板１０６を固定すると、ネジ１３０の頭部１３０Ａ（当接面１３０Ｂ）の一部分が回路基板１０６に圧接され、回路基板１０６の損傷を招く恐れや、回路基板１０６の固定状態が不安定となる恐れがあるが、本実施の形態のように、回路基板１０６と、ネジ１３０の頭部１３０Ａの両方に面で接触するようにしたカラー１２０を介在させるようにしたため、そのような不具合が防止される。
【００４３】
以上、上記実施の形態では、スイッチ操作部１０４の支持部材１０２に回路基板１０６をネジ止めするための固定部として軸Ｘ方向の円柱状のボス１１０を設けたが、固定部は円柱状でなくてもよく、また、その固定部の軸方向が上記軸Ｘと異なる方向であってもその固定部に設けられるネジ穴１１２Ａの軸が上記軸Ｘの方向（開口部４４Ａの方向）であればよい。
【００４４】
また、上記実施の形態では、スイッチ操作部１０４の可動の被操作部材１００を支持する支持部材１０２は、第２筐体枠４４と別体のものとしたが、支持部材１０２（及びボス１１０）は第２筐体枠４４と一体形成して第２筐体枠４４の一部として形成してもよい。
【００４５】
また、上記実施の形態では、ボス１１０に対してカラー１２０を位置決めするために係合突起１１２Ｂ及び切欠部１２０Ｄをボス１１０とカラー１２０に設けたが、これらの形状はどのようなものであっても凸部と凹部が係合するものであればよく、また、カラー１２０に凸部を設け、ボス１１０に凹部を設けてもよい。
【００４６】
また、上記実施の形態では、回路基板１０６を第２筐体枠４４の上壁部７２に略平行に固定するものとして説明したが、本発明は、回路基板１０６のスイッチ操作部１０４と反対側の板面を、第２筐体枠４４の周壁が存在する向きに固定する場合に適用できる。
【００４７】
また、上記実施の形態では、第２筐体枠４４の上壁部７２に設けられるアイリスモード切替スイッチ６０の回路基板１０６をネジ止めする構造について説明したが、本発明は、開口部を有する凹形状の筐体枠の周縁の沿った周壁部の任意の位置に設けられる任意の操作部の回路基板をネジ止めする場合のネジ止め構造として適用できる。
【符号の説明】
【００４８】
１０…レンズ装置、１２…レンズ鏡胴、１４…駆動ユニット、２０…マウント部、２２…フォーカスリング、２４…ズームリング、２６…アイリスリング、２２Ａ、２４Ａ、２６Ａ…ギア歯、２８…第１固定環、３０…第２固定環、４０…筐体、４２…第１筐体枠、４４…第２筐体枠、４４Ａ…開口部、５４、５５…ネジ、５８…ズームシーソースイッチ、６０…アイリスモード切替スイッチ、７０…側壁、７２…上壁部、７２Ａ…設置面（内側壁面）、８０…周壁、１００…被操作部材、１０２…支持部材、１０４…スイッチ操作部、１０６…回路基板、１０６Ａ…ネジ挿通孔、１１０、１１０′…ボス、１１２Ａ…ネジ穴、１２０…カラー、１２０Ａ…嵌合部、１２０Ｂ…フランジ部、１２０Ｃ…ネジ挿通孔、１３０…ネジ、
【図１】
2011107394.tif 000003
【図２】
2011107394.tif 000004
【図３】
2011107394.tif 000005
【図４】
2011107394.tif 000006
【図５】
2011107394.tif 000007